(57)【要約】【課題】従来のインプラントは骨に直接結合しているため、対合歯と噛んだときや食物を介在させたときにその力が全く緩衝されず、直接骨にそれらの力が伝わるため骨のダメージが大きかった。【解決手段】図１の如く、複数構造から成るインプラントを作製することにより、それらの接する層間の隙を利用しそこへクッション材などの柔軟性のある材料を介在させることで、天然歯牙の歯根に存在する歯根膜と同様の機能をもたせる。【選択図】      図１
2008237467.tif 000002
【特許請求の範囲】
【請求項１】
インプラントであって複数の構造物から成り、円柱状で中空の外殻を持ち、内側には何本もの中空インプラント心棒を内在させることを特徴とする弾力性を備えた代替歯根膜インプラント。
【請求項２】
インプラントであって、骨と接する外殻の中空インプラントの中に外壁部にクッション材で被覆された状態の軸である内側のインプラントを介在させることで天然歯根膜様の機能を持たせたことを特徴とする請求項１記載の代替歯根膜インプラント。
【請求項３】
請求項１または２記載のインプラントであって横断面形状を円形、類円形、小判型、楕円型、角を丸く加工した三角形、四角形、多角形、ダンベル型、円形結合型、かまぼこ型にしたことを特徴とする請求項１または２記載の代替歯根膜インプラント。
【発明の詳細な説明】
【技術分野】
【０００１】
本発明は、歯科医療材料のうち歯牙欠損部位に用いる人工歯根である。
【背景技術】
【０００２】
インプラントとは天然歯の歯根と類似した機能を持たせるため歯を失った部分の骨や歯肉に埋入する人工歯根である。
【０００３】
従来、インプラントの歯根にあたる部分は棒状、板状の単体のものが使用されていた。
【０００４】
その為、その上部に歯冠にあたる補綴を行い咬合させると対合歯からの咬合圧は、ダイレクトにインプラントの歯根部に伝わり、その周辺を囲う形でホールドする骨にも何の緩衝もなく、直接その応力が伝播した。
【０００５】
その結果、インプラント歯根部周囲の歯槽骨に強い咬合力がかかり骨の破壊や吸収が生じた。
【０００６】
従来のインプラントは、天然歯の歯根部の周囲に存在し、咬合力を吸収する歯根膜が存在しない為、骨に荷重な負担がかかり歯周病にかかりやすく、長期に渡って使用することは困難であった。
【発明の開示】
【発明が解決しようとする課題】
【０００７】
従来品は、歯根膜にあたる咬合圧の吸収緩衝機構がなく、咬合圧が直接インプラントを取り囲む骨に伝わり、骨に負担荷重を与え、そこに障害を生じさせインプラントの寿命を短縮させていた。そこで、インプラントに歯根膜の働きを理想的に持たせる技術が求められてきた。
【課題を解決するための手段】
【０００８】
そこで図１の如く、インプラントを中空状の外部インプラントとその中にすっぽりはまり込む形の軸状の内部インプラントから構成され、内部と外部インプラントの境目にはクッション材を介在させることで天然歯の歯根膜とほぼ同様の咬合圧の緩衝性を持たせたインプラントを発明、製作した。なお、このクッション材はプラスティックなど合成樹脂、ゴム製、ナイロン、食物繊維、動物繊維、金属、セラミックス、空気、水、ワセリン、ゼラチン、体液などから成る。又、厚みは１ミクロン以上５００ミクロン以内のものが好ましい。そして、内部に使用するインプラントの材質も又、ある程度の硬度があればプラスティックなど合成樹脂、ゴム、ナイロン、食物繊維、動物繊維、金属、セラミックスなどで作られる。そして、内部に使われるインプラントは表層と深部の硬度を変化させるために何層構造でも良い。外層のインプラント体の厚みは、0.１ミリ以上3ミリ以内が好ましい。そして、材質はチタン、モリグデン、セラミック、カルシウム、ハイドロオキシアパタイトなどが使われる。
【発明の効果】
【０００９】
インプラントそのものを内と外の二重構造にし、その隙間にクッション材を介在させる構造にすることで、天然歯根が骨との間に持つ歯根膜に相当する役目を持たせた。具体的には内側の軸を歯肉より口腔内に突き出した上方部分に冠を被せることで、対合歯と咬めるようにする。そして、内側の軸の下方部分の周囲にクッション材を貼り付ける。それを外殻の中空インプラントで囲むことで融通性を与えた。そうすることで、食物を咀嚼するときにインプラントにかかる咬合圧は内側の軸となるインプラントから外側にある中空状インプラントに伝わることになる。しかし、これら内、外二重構造の形態をとるインプラントの両者の間隙にはクッション材が介在する為、咬合圧が外側のインプラントに伝わる間に咬合力の伝播が減衰することとなる。その結果、咬合圧の力は外側にある円筒形のインプラントと結合した状態にある骨に伝わる時点では骨には優しい力へと変化する。つまり、たとえ大きな咬合力が伝わってもインプラント周囲を取り囲む歯槽骨への外傷は少なくなり、結果として歯槽骨は破壊的力を受けないのでこの発明による複層構造から成るインプラントは長期的に口腔内で天然の歯牙とほぼ同様の機能的な役目を果たすことができる。さらには、通常、連結やブリッジ（橋義歯）などの処置では天然歯とインプラントを繋ぐことは禁忌とされて来た。その理由は、天然歯は咬合圧を受けた時、数ミクロンの沈下があるがインプラントは骨と直接結合している為、天然歯と違いインプラントは全くその沈下現象が起きない。その為、両者を連結すると天然歯の動きが直接インプラントに伝わり、インプラント周囲の骨の破壊が生じるからである。しかし、この発明によればインプラントそのものに咬合圧が加わってもインプラント自体に動く機能を備えたため、この発明の可動性のインプラントと天然歯を連結することができるようになった。また、人が力を入れてくいしばると、歯根膜の存在する天然歯は沈下するが、強固に骨と結合したインプラントは沈下しない為に、インプラント上部構造としての冠は、その沈下分を見込みやや低めの高さに調整せざるを得なかった。その為、厚みのない食物や柔らかい食物を摂取する時、インプラントの部分で噛んでも咀嚼効率が悪かったり、噛めなかったり、心地良い食感が得られなかったりした。しかし、この発明によりインプラント上部構造と同一口腔内にある他の天然歯冠とは対合歯との噛み合わせに於いて同じように高さを調整することが可能となった。
【発明を実施するための最良の形態】
【００１０】
図１の如く、クッション材で囲まれた内側に位置させる少しテーパーを持った心棒としての軸を、少しテーパーをもたせた円筒形の中空シリンダーで包み込む形の複数構造のインプラントを製作した。さらに、対合歯と咬ませる為に中に位置する内側のインプラントの上部には冠を覆わせた。
【実施例１】
【００１１】
第一の実施例につき図１のように内外両層から成るインプラントを作製した。又、両者の隙間には合成樹脂状のクッション材を介在させた。本発明のインプラントを骨に埋入し、その上部に接着させた冠を対合歯と咬合させた。この時、通常のインプラントの如く他の天然歯より少し低めにすることなく、周りの天然歯冠と同じように高さを調整できた。
【実施例２】
【００１２】
第二の実施例は図２で示すが如く、内部インプラントを合成樹脂で作り使い捨てできるようにした。こうすることで冠の咬合面や内部インプラント下部のクッション材が磨耗したり、冠そのものが汚れて使用に不都合が生じても内部インプラントごと引き抜くことで簡単に上部構造である冠を新しいものと取り替えることができた。
【実施例３】
【００１３】
第三の実施例は図３で示すが如く、外周部のインプラントから内側の軸となるインプラントが容易に外れることのないように外周部である外殻のインプラント内面に刻みを入れた。さらに内側の軸になるインプラント下方の表面に施した合成樹脂から成るクッション材の表面には、突起を多数設けお互いが食い込むように工夫して、外側にあるインプラントから内側の軸状のインプラントが粘着性の食物により脱離するのを防いだ。
【実施例４】
【００１４】
第四の実施例は図４で示すが如く、外側の軸状のインプラントに内側の軸状のインプラントから構成した。弾性のある合成ゴムからなるOリング状のものを内側のインプラントのネック部分と外側にあるインプラントの上端ショルダー部にはめ込んだ。又、軸状のインプラントの下部先端部には外側部インプラント内腔底部との間に隙を設けて、咬合圧を受けた時にリングが圧縮され沈下しやすいよう工夫した。このリングは弾性が大きいので定期的に歯冠外側部を上方に滑らせて適宜交換可能とした。
【実施例５】
【００１５】
第五の実施例は図５に示す如く、内側のインプラント胴体部に合成樹脂からできたOリング状のものを欺入させ、外側部中空インプラント外面に作ったリング状の凹部に圧入させた。そして、外側部インプラントの内空底部と内側部軸状インプラントの底部に隙を設けて中側のインプラントが沈下できるように工夫した。又、内側にある軸状のインプラントの中心軸部とはその上端から下端まで貫通するナット切りがしてある。この工夫によってボルトをねじ込めば外側中空状のインプラントから内側部にある軸状のインプラントを容易に離脱させることができる。
【図面の簡単な説明】
【００１６】
【図１】本発明のインプラント並び歯周組織の縦断面図である。
【図２】本発明のインプラントの縦断面図で外側のインプラントと内側のインプラントをやや離脱させた図である。
【図３】外側にあるインプラントと内側にあるインプラントの境界部に複数の刻み目を入れた縦断面図である。
【図４】本発明のインプラントの歯頚部付近にOリングをクッション材として歓入させた縦断面図である。
【図５】本発明の外側と内側のインプラント側部にOリングを歓入させた縦断面図である。
【符号の説明】
【００１７】
１  歯槽骨  
２  歯肉  
３  外側部のインプラント  
４  内側部の軸状のインプラント
５  クッション材  
６  軸状のインプラントの歯肉上に突出させた支台  
７  冠  
８  合成樹脂でできた人工歯牙  
９  外側部インプラントの内面に入れた刻目
10  内側部インプラントの側部表面に入れた突起状クッション材
11  内側部インプラントのネック部に入れた刻目
12  外側部インプラント内面にいれた刻目
13  Oリング
14  外側部インプラントと内側部インプラントとの隙
15  中心軸のナット
【図１】
2008237467.tif 000003
【図２】
2008237467.tif 000004
【図３】
2008237467.tif 000005
【図４】
2008237467.tif 000006
【図５】
2008237467.tif 000007